(57)【要約】    【課題】  光ファイバコードの接続作業がやり易く、収容ケースを再利用できる光コード収容ケースを提供すること。    【解決手段】  ケース本体１の内部に光ファイバを巻き取る巻取部３０が着脱自在に配設された光コード収容ケースにおいて、前記ケース本体１は、上ケース１０と下ケース２０からなり、前記上ケース１０は、下ケース２０の周縁にヒンジ２，３によって開閉自在に連結され、前記ヒンジの取り付け位置と反対側にはロック用のつまみ４が取り付けられ、前記下ケース２０は、回転自在に収容され、鍔部を備えた円筒巻取体３１を有する巻取部と前記円筒巻取体に巻回収容する光ファイバの引き出し案内するガイド溝２２ａを備える構成である。【選択図】    図１
0003122022.tif 000002
【実用新案登録請求の範囲】
【請求項１】
ケース本体部の内部に光ファイバコードを巻き取る巻取部が着脱自在に配設された光コード収容ケースにおいて、
前記ケース本体部は、上ケースと下ケースからなり、
前記上ケースは、下ケースの周縁にヒンジによって開閉自在に連結され、前記ヒンジの取り付け位置と反対側にはロック用のつまみが取り付けられ、
前記下ケースは、回転自在に収容され、鍔部を備えた円筒巻取体を有する巻取部と前記円筒巻取体に巻回収容する光ファイバコードの引き出し案内するガイド溝とが備えられ、
てなることを特徴とする光コード収容ケース。
【請求項２】
ケース本体の内部に光ファイバコードを巻き取る巻取部が着脱自在に配設された光コード収容ケースにおいて、
前記ケース本体部は、上ケースと下ケースからなり、
前記上ケースは、下ケースの周縁にヒンジによって開閉自在に連結され、前記ヒンジの取り付け位置と反対側にはロック用のつまみが取り付けられ、前記円筒巻取体が露呈する窓が形成されると共に前記円筒巻取体に巻回した光ファイバコードの先端を引き出す開閉窓と光ファイバコードの引き出しした後、開閉窓を装着した際に光ファイバコードを案内するガイド溝が設けられ、
前記下ケースは、突設したピンに軸支し、鍔部を備えた円筒巻取体を有する巻取部および下ケース内を仕切る仕切壁を設け、この仕切壁に前記円筒巻取体に巻回収容する光ファイバコードの引き出し案内するガイド溝と光ファイバコードの引き出しした後、開閉窓を装着した際に光ファイバコードを案内するガイド溝が設けられ、
てなることを特徴とする光コード収容ケース。
【請求項３】
ケース本体の内部に光ファイバコードを巻き取る巻取部が着脱自在に配設された光コード収容ケースにおいて、
前記ケース本体部は、上ケースと下ケースからなり、
前記上ケースは、下ケースの周縁にヒンジによって開閉自在に連結され、前記ヒンジの取り付け位置と反対側にはロック用のつまみが取り付けられ、前記円筒巻取体に設置した回転カバーが露呈する回転窓が形成されると共に前記円筒巻取体に巻回した光ファイバコードの先端を引き出す開閉窓と光ファイバコードの引き出しした後、開閉窓を装着した際に光ファイバコードを案内するガイド溝が設けられ、
前記下ケースは、突設したピンに軸支し、鍔部を備えた円筒巻取体を有する巻取部および下ケース内を仕切る仕切壁を設け、この仕切壁に前記円筒巻取体に巻回収容する光ファイバコードの引き出し案内するガイド溝と光ファイバコードの引き出しした後、開閉窓を装着した際に光ファイバコードを案内するガイド溝が設けられ、
前記巻取部は、前記下ケースに軸支され回転自在な円筒巻取体と前記円筒巻取体に嵌着された巻取カバーとから構成されていることを特徴とする光コード収容ケース。
【請求項４】
ケース本体の内部に光ファイバコードを巻き取る巻取部が着脱自在に配設された光コード収容ケースにおいて、
前記ケース本体部は、上ケースと下ケースからなり、
前記上ケースは、下ケースの周縁にヒンジによって開閉自在に連結され、前記ヒンジの取り付け位置と反対側にはロック用のつまみが取り付けられ、このつまみの挿入部をスライドしてロックを解除して上ケースを開閉可能とし、
前記円筒巻取体が露呈する窓が形成されると共に前記円筒巻取体に巻回した光ファイバコードの先端を引き出す開閉窓が形成され、
前記下ケースは、突設したピンに軸支し、鍔部を備えた円筒巻取体を有する巻取部および下ケース内を仕切る仕切壁を設け、この仕切壁に前記円筒巻取体に巻回収容する光ファイバコードの引き出し案内するガイド溝が設けられ、
前記巻取部は、前記下ケースに軸支され回転自在な円筒巻取体と前記円筒巻取体に嵌着された巻取カバーとから構成されていることを特徴とする光コード収容ケース。
【考案の詳細な説明】
【技術分野】
【０００１】
本考案は、光ファイバコードの接続作業に使用し、余長分を収納する光コード収容ケースに関する。
【背景技術】
【０００２】
従来、光通信などで使用される光ファイバを屋外から建物に引き込む際には、光ファイバの余長分を収納する光コード収容ケースが建物外壁面に配設されている。この場合に、光コード収容ケースには、光ファイバの引き込み口付近に光ファイバの固定部が設けられる。光ファイバは両側に補強線を配置して、それらが被覆部で覆われ光ケーブルを構成している。補強線は鋼線や強化プラスティックなどからなり、光ケーブルの曲げに対する補強材となっている。これらに使用される光コード収容ケースとして特許文献１に示す光ファイバ余長処理装置があった。
【０００３】
この特許文献１に示す光ファイバ余長処理装置は、内円筒と外円筒を同心に筐体内に一体に形成され、内円筒に直径の両端に円弧状の板ばねを取り付け、筐体入口部より導入した光ファイバテープ心線を接続作業に必要な長さ、板ばねと内円筒に板ばねに力を加えることなく空間を維持しながら巻回し、内円筒の固定部で固定し、光ファイバテープ心線の出口部通路に設けた出し入れ制御部で接続作業に必要な長さにおいて保持するように構成したものである。      
【０００４】
しかしながら、上述した特許文献１の光ファイバ余長処理装置においては、光ファイバの入口側と出口側が反対方向となり、光ファイバの接続作業などがやりにくいという問題があった。また、この光ファイバ余長処理装置は複数本の光ファイバの処理を行うことを考慮されているので、比較的大型であり、収納ケースが大きく嵩張るという問題もあった。さらに、光ファイバコードを一定以上の曲率で収納することに重点が置かれているので、巻きぐせが付き易く小さく巻けないという問題もあった。
【０００５】
そこで、この課題を解決するために特許文献２に示すような光ファイバ収納ケースがあった。この光ファイバ収納ケースは、箱型形状からなるケース本体に光ファイバを巻付け固定する収容部と光ファイバに接続され光信号に変換する光電変換部とを納めてなる光ファイバ収納ケースにおいて、ケース本体にはトレイ状からなり収容部を形成した収容トレイを設け、収容部に光ファイバを納めた収容トレイは光電変換部を設置固定したケース本体に対して着脱自在としたものである。
【特許文献１】特開平６−１０９９３０号公報
【特許文献２】特開２００４−３５４８８５号公報
【考案の開示】
【考案が解決しようとする課題】
【０００６】
しかしながら、上述した特許文献２の光ファイバ収納ケースにおいては、特許文献１の光ファイバ余長処理装置よりは小型化されているものの、箱型のケース本体の内部に独立した収容トレイを備え、この収容トレイの内部にさらに光ファイバの巻き付け部と固定部を収容部を配設しているので、その構造は複雑であり、十分な小型化を図れないという問題があった。
【０００７】
本考案は、上述した従来の問題に鑑みなされたもので、比較的簡単な構造でポケットサイズに小型化ができ、光ファイバコードの接続作業がやり易く、収容ケースを再利用できる光コード収容ケースを提供するものである。
【課題を解決するための手段】
【０００８】
本考案は、上記課題を解決するため、ケース本体部の内部に光ファイバを巻き取る巻取部が着脱自在に配設された光コード収容ケースにおいて、前記ケース本体部は、上ケースと下ケースからなり、前記上ケースは、下ケースの周縁にヒンジによって開閉自在に連結され、前記ヒンジの取り付け位置と反対側にはロック用のつまみが取り付けられ、前記下ケースは、回転自在に収容され、鍔部を備えた円筒巻取体を有する巻取部と前記円筒巻取体に巻回収容する光ファイバの引き出し案内するガイド溝とが備えられて構成されている。
【０００９】
また、本考案は、ケース本体の内部に光ファイバコードを巻き取る巻取部が着脱自在に配設された光コード収容ケースにおいて、前記ケース本体部は、上ケースと下ケースからなり、前記上ケースは、下ケースの周縁にヒンジによって開閉自在に連結され、前記ヒンジの取り付け位置と反対側にはロック用のつまみが取り付けられ、前記円筒巻取体が露呈する窓が形成されると共に前記円筒巻取体に巻回した光ファイバコードの先端を引き出す開閉窓と光ファイバコードの引き出しした後、開閉窓を装着した際に光ファイバコードを案内するガイド溝が設けられ、前記下ケースは、突設したピンに軸支し、鍔部を備えた円筒巻取体を有する巻取部および下ケース内を仕切る仕切壁を設け、この仕切壁に前記円筒巻取体に巻回収容する光ファイバコードの引き出し案内するガイド溝と光ファイバコードの引き出しした後、開閉窓を装着した際に光ファイバコードを案内するガイド溝が設けられて構成されていることを特徴としている。
【００１０】
また、本考案は、ケース本体の内部に光ファイバを巻き取る巻取部が着脱自在に配設された光コード収容ケースにおいて、前記ケース本体部は、上ケースと下ケースからなり、前記上ケースは、下ケースの周縁にヒンジによって開閉自在に連結され、前記ヒンジの取り付け位置と反対側にはロック用のつまみが取り付けられ、前記円筒巻取体に設置した回転カバーが露呈する回転窓が形成されると共に前記円筒巻取体に巻回した光ファイバの先端を引き出す開閉窓と光ファイバコードの引き出しした後、開閉窓を装着した際に光ファイバコードを案内するガイド溝が設けられ、前記下ケースは、突設したピンに軸支し、鍔部を備えた円筒巻取体を有する巻取部および下ケース内を仕切る仕切壁を設け、この仕切壁に前記円筒巻取体に巻回収容する光ファイバコードの引き出し案内するガイド溝と光ファイバコードの引き出しした後、開閉窓を装着した際に光ファイバコードを案内するガイド溝が設けられ、前記巻取部は、前記下ケースに軸支され回転自在な円筒巻取体と前記円筒巻取体に嵌着された巻取カバーとから構成されていることを特徴としている。
【００１１】
さらに、本考案は、ケース本体の内部に光ファイバコードを巻き取る巻取部が着脱自在に配設された光コード収容ケースにおいて、前記ケース本体部は、上ケースと下ケースからなり、前記上ケースは、下ケースの周縁にヒンジによって開閉自在に連結され、前記ヒンジの取り付け位置と反対側にはロック用のつまみが取り付けられ、このつまみの挿入部をスライドしてロックを解除して上ケースを開閉可能とし、前記円筒巻取体が露呈する窓が形成されると共に前記円筒巻取体に巻回した光ファイバの先端を引き出す開閉窓と光ファイバコードの引き出しした後、開閉窓を装着した際に光ファイバコードを案内するガイド溝が設けられ、前記下ケースは、突設したピンに軸支し、鍔部を備えた円筒巻取体を有する巻取部および下ケース内を仕切る仕切壁を設け、この仕切壁に前記円筒巻取体に巻回収容する光ファイバの引き出し案内するガイド溝と光ファイバコードの引き出しした後、開閉窓を装着した際に光ファイバコードを案内するガイド溝が設けられ、前記巻取部は、前記下ケースに軸支され回転自在な円筒巻取体と前記円筒巻取体に嵌着された巻取カバーとから構成されていることを特徴とするものである。
【考案の効果】
【００１２】
本考案の光コード収容ケースは上述のように構成されたことにより、光ファイバコードの曲率半径を小さく非常にコンパクトに収容できるので、光コード収容ケース全体をポケットサイズにすることができ、持ち運びする場合や工事現場での取り扱いが非常に便利になるものである。
【００１３】
また、本考案の光コード収容ケースは、光ファイバコードの先端部を上ケースの開閉窓より一方向に取り出すことができるので、光ファイバコードの接続作業がやり易くなり、作業性が向上すると共に接続作業にかかる費用を削減できるものである。
【００１４】
さらに、本考案の光コード収容ケースは、上ケースと下ケースがヒンジにより開閉可能に構成され、光ファイバコードの巻取部は簡単に着脱できるので、光ファイバコードを接続した後は光ファイバコードを固定して、光コード収容ケースのみを取り外し、光コード収容ケースを再度使用することも可能となるものである。
【考案を実施するための最良の形態】
【００１５】
本考案に係る光コード収容ケース最良の形態について図面を参照して説明する。
図１は本考案に係る光コード収容ケースを示す分解斜視図、図２は図１の光コード収容ケースの外形を示す斜視図、図３は図１の光コード収容ケースのケースカバーを外した状態を示す斜視図、図４は図１の光コード収容ケースの上ケースを示す斜視図、図５は図１の光コード収容ケースの下ケースを示す斜視図、図６は図１の光コード収容ケースの巻取部を示す斜視図である。
【００１６】
本考案に係る光コード収容ケースは、図１または図２に示すように、ケース本体部１の内部に光ファイバを巻き取る巻取部が着脱自在に配設された光コード収容ケースにおいて、前記ケース本体部１は、上ケース１０と下ケース２０からなり、この上ケース１０と下ケースとは周縁に設けたヒンジ２，３によって連結され、開閉自在に構成され、前記ヒンジ２．３の取り付け位置との反対側にはロック用のつまみ４が取り付けられ、前記巻取部３０は、前記下ケース２０に突設したピン２１に軸支され、回転自在な円筒巻取体３１と前記円筒巻取体３１に嵌着された巻取カバー３２とから構成されている
【００１７】
この光コード収容ケースに使用する上ケース１０は、図１または図４に示すように、図１下面が開口された蓋体に形成されたもので、図１表面上部には後述する巻取カバー３２が露出する回転窓１１が形成され、図１表面下部にはケースカバー５が着脱する開閉窓１２が形成されている。そして、この上ケース１０の側面の一方には、上ケース１０と下ケース２０を開閉する場合の支軸となる上ヒンジ片１３，１４が形成されており、後述する下ケース２０の下ヒンジ片２３，２４に嵌合してヒンジ機構を構成するものである。
【００１８】
また、この上ケース１０には、上ヒンジ片１３，１４の反対側の側面につまみ挿入部１５が形成されている。このつまみ挿入部１５は、上ケース１０の側面に凹部１５ａが形成され、この凹部１５ａにつまみ４のガイド１５ｂが突設されている。このガイド１５ｂは後述する下ケース２０に形成されたつまみ挿入部２５のガイド２５ｂと同一面になるように構成されており、このガイド１５ｂとガイド２５ｂをつまみ４がスライドできるようになっている。そして、つまみ４がガイド１５ｂの位置にスライドしたとき（図３参照）は、上ケース１０と下ケース２０が閉じてロックされるものである。
【００１９】
また、上ケース１０に形成された開閉窓１２は、ケースカバー５を着脱するために両側面にはガイド面１２ａ，１２ａが形成され、ケースカバー５の突当面には嵌合突起（図示せず）が嵌合するための嵌合凹部１２ｂが形成されている。そして、この開閉窓１２から後述するように、光フアイバコード６が引き出せるようになっている。
【００２０】
また、下ケース２０は、図１または図５に示すように、上面が開口された箱体に形成されたものであり、下面には巻取部３０を軸支するためのピン２１が突設されている。そして、下ケース２０の略半分の位置には仕切壁２２が設けられ、この仕切壁２２には後述する光ファイバコード６先端部のコネクタ７，７をガイドするための２箇所のガイド溝２２ａ，２２ａおよびケースカバー５と開閉窓を装着させた状態での光ファイバコード６の巻回、引き伸ばしが可能なガイド溝２２ｂ，２２ｂが形成されている。
【００２１】
この下ケース２０の側面の一方、即ち前記上ケース１０の上ヒンジ片１３，１４が対向する位置には、上ケース１０と下ケース２０を開閉する場合の支軸となる下ヒンジ片２３，２４が形成されており、上ケース１０の上ヒンジ片１３，１４に嵌合してヒンジ２，３を構成している。そのため、下ヒンジ片２３，２４には上ヒンジ片１３，１４に嵌合するための嵌合突起が形成され、上ヒンジ片１３，１４に形成された嵌合穴に嵌合するようになっており、このヒンジ機構により上ケース１０と下ケース２０は開閉自在となるものである。
【００２２】
また、下ケース２０の前記下ヒンジ片２３，２４の反対側の側面には、つまみ挿入部２５が形成されている。このつまみ挿入部２５は、下ケース２０の側面に凹部２５ａが形成され、この凹部２５ａにつまみ４のガイド２５ｂが突設されている。このガイド２５ｂは前述した上ケース１０に形成されたつまみ挿入部１５のガイド１５ｂと同一面になるように構成されており、このガイド２５ｂとガイド１５ｂをつまみ４がスライドできるようになっている。そして、つまみ４がガイド２５ｂの位置にスライドしたときはロックが解除され、上ケース１０と下ケース２０が開閉可能となるものである。
【００２３】
また、この下ケース２０のピン２１に回転自在に軸支される巻取部３０は、図１または図６に示すように、回転自在な円筒巻取体３１と、この円筒巻取体３１に嵌着された巻取カバー３２とから構成されている。円筒巻取体３１は光ファイバコード６の巻取りのガイドとなる鍔部３１ａと、光ファイバコード６を巻取る胴部３１ｂとを有しており、この円筒巻取体３１の下側に形成された図示しないピン穴をピン２１に差し込むだけで簡単に回転自在に軸支されるものである。胴部３１ｂの径は光ファイバコード６を巻いても光ファイバの損失が生じない寸法で、しかも最小の寸法で形成されていることから、ケースカバー５を開閉窓１２に装着させた状態で光ファイバコード６の巻回、引き出しが可能なガイド溝２２ｂ，２２ｂにより収容する光ファイバコード長の範囲で、必要とする長さを自在に調節ができる。そして、巻取カバー３２の上部には、光コードを巻取る場合に、外部より円筒巻取体３１を回し易いように、凹凸模様３２ａが形成されている。
【００２４】
このように構成された光コード収容ケースを使用する場合は、まず、光ファイバコード６を巻取部３０に巻き付け、この巻取部３０を光コード収容ケースの下ケース２０のピン２１に差し込み固定する。次に、光ファイバコード６の２本の光ファイバコード６先端部のコネクタ７、７を収納し、光ファイバコード６先端部のコネクタ７、７を仕切壁２２のガイド溝２２ａに差し込んで固定する。
【００２５】
さらに、この状態で上ケース１０と下ケース２０を閉じる。最後に上ケース１０の開閉窓１２にケースカバー５を装着して閉じるものである。
【００２６】
あるいは、すでに光ファイバコード６がケース内に収容された状態で、ケースカバー５を取り外し、光ファイバコード６の先端部を引き出し、開閉窓のガイド溝２２ｂに差し込み、ケースカバー５のガイド溝２２ｂを光ファイバコード６に沿わせるように上ケース１０に装着した状態で使用する場合は、巻取部３０の巻取カバー３２を回転させ，光ファイバコード６を光ファイバコード先端部のコネクタ７がガイド溝２２ｂの近くまで巻き取った上で、ケースカバー５を上ケース１０より取り外し，開閉窓１２のガイド溝２２ｂより光ファイバコード６を取り外し，巻取部３０の巻取カバー３２を回転させ光ファイバコード先端部を収納し開閉窓１２にケースカバー５を装着して閉じるものである。
【００２７】
このようにコンパクトに折り畳まれた光コード収容ケースは、接続工事現場へ持ち運ばれ、光ファイバコード６が引き出されて他の光ファイバコードとの接続に使用され、余長分は巻取部３０に巻き取られて収納される。
【００２８】
上述したように、本考案の光コード収容ケースは、光ファイバコードの曲率半径を小さく非常にコンパクトに収容できるので、光コード収容ケース全体をポケットサイズにすることができ、持ち運びする場合や工事現場での取り扱いが非常に便利になるものである。
【００２９】
また、本考案の光コード収容ケースは、光ファイバコード先端部のコネクタ７を上ケースの開閉窓より一方向に取り出すことができるので、接続作業がやり易くなり、作業性が向上すると共に接続作業にかかる費用を削減できるものである。
【００３０】
さらに、本考案の光コード収容ケースは、上ケースと下ケースがヒンジにより開閉可能に構成され、光コードの巻取部は簡単に着脱できるので、光ファイバコードを接続した後は光ファイバコードを固定して、光コード収容ケースのみを取り外し、光コード収容ケースを再度使用することも可能となるものである。
【図面の簡単な説明】
【００３１】
【図１】本考案に係る光コード収容ケースを示す分解斜視図である。
【図２】図１の光コード収容ケースの外形を示す斜視図である。
【図３】図１の光コード収容ケースのケースカバーを外した状態を示す斜視図である。
【図４】図１の光コード収容ケースの上ケースを示す斜視図である。
【図５】図１の光コード収容ケースの下ケースを示す斜視図である。
【図６】図１の光コード収容ケースの巻取部を示す斜視図である。
【符号の説明】
【００３２】
１      ケース本体
２      ヒンジ
３      ヒンジ
４      つまみ
５      ケースカバー
６      光ファイバコード
７      コネクタ
１０      上ケース
１１      回転窓
１２      開閉窓
１３      ヒンジ片
１４      ヒンジ片
１５      つまみ挿入部
２０      下ケース
２１      ピン
２２      仕切壁
２３      ヒンジ片
２４      ヒンジ片
２５      つまみ挿入部
３０      巻取部
３１      円筒巻取体
３２      巻取カバー
【図１】
0003122022.tif 000003
【図２】
0003122022.tif 000004
【図３】
0003122022.tif 000005
【図４】
0003122022.tif 000006
【図５】
0003122022.tif 000007
【図６】
0003122022.tif 000008